(57)【要約】      （修正有）【課題】複数枚数のカード収納できると共に、複数枚数のカードを収納した場合であっても、厚さ寸法の小さく、多数の紙幣を収納できる財布を提供する。【解決手段】札入れ部１１と、札入れ部１１の内側に設けられた複数のカード収納部１２ａ〜１２ｃとを有し、二つ折りにしうる財布１０であって、カード収納部１２ａ〜１２ｃは、財布本体１３の長さ方向に沿って並列に複数設けられており、財布１０の外装部にコイン入れ部を形成した。また、札入れ部１１には、札入れ部１１を厚さ方向に拡開可能とするマチ部を設けた。【選択図】図１
0003220985.tif 000002
【実用新案登録請求の範囲】
【請求項１】
札入れ部と、上記札入れ部の内側に設けられた複数のカード収納部とを有し、二つ折りにしうる財布であって、上記カード収納部は、財布本体の長さ方向に沿って並列に複数設けられており、
上記財布の外装部にコイン入れ部を形成したことを特徴とする財布。
【請求項２】
上記札入れ部には、上記札入れ部を厚さ方向に拡開可能とするマチ部を設けたことを特徴とする請求項１に記載の財布。
【請求項３】
上記カード収納部は略キャッシュカードサイズに形成され、
上記財布本体は、折り曲げた場合に、平面長方形状に形成されると共に上記カード収納部の長さ寸法と略同一の幅寸法に形成され、
上記カード収納部は、上記カード収納部の幅方向に沿って開口する開口部を有することを特徴とする請求項１又は請求項２に記載の財布。
【請求項４】
上記札入れ部の長さ方向端部において、上記札入れ部の幅方向に沿って形成された仕切り部を介して形成されたカード補助収納部が設けられ、
上記カード補助収納部には上記札入れ部の幅方向に沿って開口する開口部が形成されていることを特徴とする請求項１又は請求項２に記載の財布。
【考案の詳細な説明】
【技術分野】
【０００１】
本考案は、札入れ部の内側に複数のカード収納部を有する財布に関する。
【背景技術】
【０００２】
従来、財布には、キャッシュカードやクレジットカード等のカードを収納する収納ポケットが設けられている。このような収納ポケットは、複数枚数のカードを収納するために、厚さ方向に仕切り板が複数枚配置されて構成されている場合がある。
【０００３】
しかしながら、係る構成において、収納ポケットに複数枚数のカードを収納する場合には、厚さ方向に複数枚のカードを重ねて収納することになることから、財布全体の厚さ寸法が大きくなり、折り畳んでズボンの後ポケットに財布を収納する場合には、厚さ方向に嵩張り、ポケットへ入れにくいと共に、外観上見苦しい場合がある。
【０００４】
このような観点に基づき、本件出願人は、札入れ部と、上記札入れ部の内側に設けられた複数のカード収納部とを有し、二つ折りにしうる財布であって、上記カード収納部は、財布本体の長さ方向に沿って並列に複数設けられている財布を提案している（特許文献１参照）。
【先行技術文献】
【特許文献】
【０００５】
【特許文献１】実登3147374号公報
【考案の開示】
【考案が解決しようとする課題】
【０００６】
特許文献１に記載の財布は、複数枚数のカード収納できると共に、複数枚数のカードを収納した場合であっても、厚さ寸法が大きくならない。
【０００７】
ところで、一般に財布には紙幣や複数枚のカードを収納すること以外に、コイン入れ部を備えることが要望される。
【０００８】
このため、複数枚数のカードを収納した状態で厚さ寸法が大きくならず、さらに小銭等を収納できるコイン入れ部を備える財布があれば便利である。
【課題を解決するための手段】
【０００９】
上記課題を解決するために、請求項１記載の考案にあっては、札入れ部と、上記札入れ部の内側に設けられた複数のカード収納部とを有し、二つ折りにしうる財布であって、上記カード収納部は、財布本体の長さ方向に沿って並列に複数設けられており、上記財布の外装部にコイン入れ部を形成したことを特徴とする。
【００１０】
本考案によれば、カード収納部は、財布本体の長さ方向に沿って並列に複数設けられているので、上記複数のカード収納部同士は、夫々、重なり合わずに配置されている。また、財布には、紙幣やカードの他にコインを収納することができる。
【００１１】
請求項２に記載の考案にあっては、上記札入れ部には、上記札入れ部を厚さ方向に拡開可能とするマチ部を設けたことを特徴とする。
【００１２】
本考案によれば、札入れ部に多数枚の札を収納すると札入れ部はマチ部が開いて厚さ方向に拡開される。
【００１３】
請求項３記載の考案にあっては、上記カード収納部は略キャッシュカードサイズに形成され、上記財布本体は、折り曲げた場合に、平面長方形状に形成されると共に上記カード収納部の長さ寸法と略同一の幅寸法に形成され、上記カード収納部は、上記カード収納部の幅方向に沿って開口する開口部を有することを特徴とする。
【００１４】
本考案によれば、複数のカード収納部は財布本体の長さ方向に沿って並列に整列させることができる。
【００１５】
請求項４記載の考案にあっては、上記札入れ部の長さ方向端部において、上記札入れ部の幅方向に沿って形成された仕切り部を介して形成されたカード補助収納部が設けられ、上記カード補助収納部には上記札入れ部の幅方向に沿って開口する開口部が形成されていることを特徴とする。
【００１６】
本考案によれば、カード補助収納部にカードを収納することができる。
【考案の効果】
【００１７】
請求項１に記載の財布によれば、上記カード収納部は、財布本体の長さ方向に沿って並列に複数設けられ、上記複数のカード収納部同士は、夫々、重なり合わずに配置されていることから、上記複数のカード収納部に複数のカードが収納された場合に、複数のカードが厚さ方向に重なることのない厚さ寸法の小さい財布を提供することができる。
【００１８】
また、請求項１に記載の財布によれば、例えば、ズボンの後ポケットに複数のカードが収納された財布を収納する場合には、上記複数のカード収納部の間にはカードが配置されていないことから、着座した場合に、カードが配置されていない部位において折り曲がるので、収納されたカードの破損を軽減できる。
【００１９】
さらに、請求項１に記載の財布によれば、財布には、紙幣やカードの他にコインを収納することができる。
【００２０】
請求項２に記載の財布によれば、マチ部を備えているので、札入れ部に多数枚の札を収納すると、札入れ部はマチ部が開いて厚さ方向に拡開されるので、多数枚の札を無理なく収納できる。
【００２１】
請求項３に記載の財布によれば、上記複数のカード収納部は財布本体の長さ方向に沿って並列に整列させることができることから、上記複数のカード収納部は財布本体の長さ方向に沿って並列に整列したコンパクトで取り扱いが容易な厚さ寸法の小さい財布を提供することができる。
【００２２】
請求項４に記載の財布によれば、上記カード補助収納部にカードを収納することができることから、カードの収納枚数を増大させることができる。
【図面の簡単な説明】
【００２３】
【図１】本考案の第１実施形態に係る財布を開いた状態におけるカードの配置を示す平面図である。
【図２】同財布折り曲げた状態を示すものであり、（ａ）はコイン入れ部を閉じた状態を示す斜視図、（ｂ）はコイン入れ部を開いた状態を示す斜視図である。
【図３】同財布の札入れ部を開いた状態を示す斜視図である。
【図４】本考案の第２実施形態に係る財布を開いた状態におけるカードの配置状態を示す平面図である。
【図５】同財布を開いた状態を示すものであり、（ａ）は札入れ部のマチ部が閉じた状態を示す斜視図、（ｂ）は同マチ部が開いた状態を示す斜視図である。
【図６】同財布のコイン入れ部を示すものであり、（ａ）はコイン入れ部を閉じた状態を示す斜視図、（ｂ）はコイン入れ部を開いた状態を示す斜視図である。
【図７】本考案の第３実施形態に係る財布を示す斜視図である。
【図８】同財布のコイン入れ部を示すものであり、（ａ）はコイン入れ部を閉じた状態を示す斜視図、（ｂ）はコイン入れ部を開いた状態を示す斜視図である。
【考案を実施するための最良の形態】
【００２４】
以下、図面を用いて本考案の実施の形態を図面に基づいて説明する。
【００２５】
＜第１実施形態＞
本考案の第１実施形態に係る財布は、札を二つ折りして収納する財布である。図１は本考案の第１実施形態に係る財布を開いた状態におけるカードの配置を示す平面図、図２は同財布折り曲げた状態を示すものであり、（ａ）はコイン入れ部を閉じた状態を示す斜視図、（ｂ）はコイン入れ部を開いた状態を示す斜視図、図３は同財布の札入れ部を開いた状態を示す斜視図である。
【００２６】
第１実施形態に係る財布１０は、図１及び図２（ａ）、（ｂ）に示すように、札入れ部１１と、この札入れ部１１の内側に設けられたカード収納部１２（図１参照）とを有している。この財布１０は、二つ折りにしうるものである。また、カード収納部１２は、図２に示すように、財布本体１３の長さ方向に沿って並列に複数設けられている。
【００２７】
また、図１に示すように、カード収納部１２は略キャッシュカードサイズに形成されている。さらに、図２に示すように、財布本体１３は、折り曲げた場合に、平面長方形状に形成され、図１に示すようなカード収納部１２の長さ寸法と略同一の幅寸法に形成されている。そして、カード収納部１２は、図１に示すように、カード収納部１２の幅方向に沿って開口してカードＡを挿入可能な開口部１４を有している。
【００２８】
また、財布１０は、図３に示すように、札入れ部１１の長さ方向の端部２１において、札入れ部１１の幅方向に沿って形成された仕切り部１５を介して形成されたカード補助収納部１６が設けられている。このカード補助収納部１６には札入れ部１１の幅方向に沿って開口する開口部１７が形成されている。
【００２９】
図２に示すように、本実施形態に係る財布１０は、皮革材が縫着されることにより形成されており、二つ折りにしうる。財布１０は、折り曲げる前において、図１に示すように、長さ方向中央部の折り曲げ線部１８に対して対称に形成された平面長方形状に形成され、折り曲げ線部１８において半分に折り曲げられることにより、図２に示すように、折り曲げる前の半分の大きさ寸法の平面長方形状に形成される。
【００３０】
また、図１に示すように、財布本体１３には、幅方向の一方の端部に沿って長さ方向全域に亘って開口する札入れ部１１が設けられ、札入れ部１１の内側には、図１に示すように、４つのカード収納部１２ａ，１２ｂ，１２ｃ，１２ｄが配置されている。
【００３１】
さらに、カード収納部１２は、略キャッシュカードサイズに形成され、４つのカード収納部１２ａ、１２ｂ、１２ｃ、１２ｄは、財布本体１３の長さ方向に沿って並列して配置されている。また、財布本体１３の幅寸法はカード収納部１２の長さ寸法と略同一寸法に形成され、カード収納部１２はカード収納部１２の幅方向端部が財布本体１３の幅方向に沿うように配置されている。
【００３２】
また、カード収納部１２は、図１に示すように、カード収納部１２の幅方向に沿って開口する開口部１４を有し、開口部１４は財布本体１３の長さ方向に沿って設けられている。
【００３３】
さらに、財布１０において折り曲げ線部１８に対して一方側に配置される２枚のカード収納部１２ａ，１２ｂは、一枚の長方形状のカード収納部構成部材１９の長さ方向両端部及び下端部に沿って縫着され、上端部に開口部１４が形成され、長さ方向中央部には仕切り線部２０ａが縫着されることにより形成されている。これにより、２枚のカードＡを収納しうるように形成されている。
【００３４】
また、折り曲げ線部１８に対して他方側に配置される２枚のカード収納部１２ｃ，１２ｄも同様に縫着され、仕切り線部２０ｂが形成されて２枚のカードＡを収納しうるように形成されている。
【００３５】
さらに、図３に示すように、札入れ部１１の長さ方向の一方の端部２１において、札入れ部１１の幅方向に沿って縫着により形成された仕切り部１５を介して形成された略キャッシュカードサイズのカード補助収納部１６が設けられ、カード補助収納部１６には札入れ部１１の幅方向に沿って開口する開口部１７が形成されている。
【００３６】
また、図１に示すように、札入れ部１１とカード収納部１２との間には、財布本体１３の長さ方向中央部側に開口する副収納部２２，２２が形成されている。
【００３７】
また、図３に示すように、札入れ部１１の長さ方向の他方の端部側において、札入れ部１１の長さ方向の半分の領域に亘って形成された札入れ部１１の長さ方向に開口する副収納部２３が形成されている。
【００３８】
そして、本実施形態に係る財布１０では、折り畳んだとき外側に位置する財布本体１３の一方側の外装部にコイン入れ部４０が形成されている。このコイン入れ部４０は、図２（ａ）、（ｂ）に示すように、財布本体１３の外面に開口部１７に沿ったスリット４１とこのスリット４１の端部に接続して直交するスリット４２とを備える、スリット４１に線ファスナ部材４３を、スリット４２にマチ部材４５を配置し、内側に袋部材を配置し、硬貨等を収納可能としたものである。
【００３９】
線ファスナ部材４３は、図２（ｂ）に示すように、スリット４１の両側に配置され互いに噛み合うエレメント４３ａ、４３ｂと、このエレメント４３ａ、４３ｂを噛合、解除するスライダ４４とを備える。スライダ４４を移動させることで、スリット４１を開状態又は閉状態にできる。
【００４０】
スリット４２に配置されるマチ部材４５は、薄い革部材で構成され、内側を谷線として折り畳み可能である。このマチ部材４５は、スリット４１を開状態とすること開かれ、貨幣等の収納を容易にする他、多数の貨幣等が収納されたときコイン入れ部４０の厚さ方向寸法を拡げることができる。
【００４１】
本実施形態に係る財布１０使用する場合には、財布１０を折り曲げる前において、図１に示すように、例えば、カード収納部１２ａ，１２ｂ，１２ｃ，１２ｄにキャッシュカードやクレジットカード等のカードＡを収納する。
【００４２】
その後、図２（ａ）に示すように、折り曲げ線部１８により折り曲げた後に、例えば、ズボンの後ポケットに収納して携帯することができる。
【００４３】
本実施形態に係る財布１０によれば、従来の財布のように、厚さ方向に複数枚のカードを収納するように構成されていない。このため、仮に、一つのポケットに複数枚のカードを入れた場合であっても、収納したカードＡの枚数分の厚さ寸法になることがなく、財布１０全体の厚さ寸法の小さい財布１０とすることができる。
【００４４】
その結果、例えば、ズボンの後ポケットに収納して携帯する場合に、厚さ方向に嵩張ることがないため、ポケットに入れ易く、かつ、外観上の見苦しさは低減される。また、例えば、ズボンの後ポケットにカードＡが収納された財布１０を収納する場合、仕切り線部２０ａ、２０ｂには、カードＡが配置されておらず、かつ、財布１０を折り曲げた場合に仕切り線部２０ａ，２０ｂが互いに重なり合う。このため、所有者が着座した場合に、カードが配置されていない仕切り線部２０ａ，２０ｂにおいて財布１０は幅方向に沿って屈曲可能であり、収納されたカードＡの破損を軽減できる。
【００４５】
また、図３に示すように、カード補助収納部１６にカードＡを収納することが可能であることから、カードの収納枚数を増大させることができる。
【００４６】
さらに、本実施形態に係る財布１０によれば、コイン入れ部４０を備えるので、一つの財布１０に紙幣等の紙片、クレジットカード等のカードに加えて硬貨等のコインを収納することができる。
【００４７】
＜第２実施形態＞
次に本考案の第２実施形態に係る財布について説明する。図４は本考案の第２実施形態に係る財布を開いた状態におけるカードの配置状態を示す平面図、図５は同財布を開いた状態を示すものであり、（ａ）は札入れ部のマチ部が閉じた状態を示す斜視図、（ｂ）は同マチ部が開いた状態を示す斜視図、図６は同財布のコイン入れ部を示すものであり、（ａ）はコイン入れ部を閉じた状態を示す斜視図、（ｂ）はコイン入れ部を開いた状態を示す斜視図である。
【００４８】
本実施形態に係る財布１０Ａは、紙幣を折り畳むことなく収納でき、紙幣の長手方向に沿った折り線で折り畳むことができるいわゆる長財布である。本実施形態に係る財布１０Ａでは、小銭入れを備え、紙幣やカードの他、貨幣を収納することができる。
【００４９】
本実施形態に係る財布１０Ａは、図４に示すように、折り曲げる前においては中央部に形成される折り曲げ線部１８に対して略対称形状に形成されると共に平面略正方形状に形成され、折り曲げ線部１８により二つ折り可能である。そして、財布１０Ａは、折り曲げた後においては、図５に示すような平面略長方形状となるよう形成されている。
【００５０】
また、財布１０Ａにあっては、折り曲げ線部１８で折り畳んだ状態において内側となる部分には、折り曲げ線部１８を挟んで開口する二つの札入れ部２４ａ、２４ｂが形成されている。この札入れ部２４ａ、２４ｂのうち一方の札入れ部２４ａには、図５に示すように両端にマチ部３０、３０が形成されている。
【００５１】
また、カード収納部２５ａ，２５ｂ，２５ｃ，２５ｄ，２５ｅ，２５ｆは、札入れ部２４ａ、２４ｂの内側に設けられ、折り曲げ線部１８に対して両側に３つずつ計６つ配置されている。このため、財布１０が折り曲げ線部１８により折り曲げられた場合に、図４に示すように、折り曲げられた財布１０の長さ方向に沿うように並列に配置される。
【００５２】
また、カード収納部２５の幅方向に沿って形成された開口部１４は、折り曲げ線部１８に沿って折り曲げ線部１８側に配置されている。さらに、折り曲げ線部１８に対して一方側に配置される３つのカード収納部２５ａ，２５ｂ，２５ｃは、一枚の長方形状のカード収納部構成部材２６の長さ方向両端部及び幅方向の外端部に沿って縫着され、折り曲げ線部１８側の内端部に開口部１４が形成され、長さ方向においては、長さ寸法を３等分する位置に２本の仕切り線部２７ａ，２７ｂが縫着されることにより形成され、３枚のカードを収納しうるように形成されている。
【００５３】
また、折り曲げ線部１８に対して他方側に配置される３つのカード収納部２５ｄ，２５ｅ，２５ｆも同様に縫着され、２本の仕切り線部２７ｃ，２７ｄが形成されて３枚のカードを収納しうるように形成されている。
【００５４】
さらに、本実施形態に係る財布１０Ａにあっては、図６に示すように、折り畳んだとき外側に位置する財布本体１３の一方側の外装部にコイン入れ部４０が形成されている。このコイン入れ部４０は、財布本体１３の外面に折り曲げ線部１８に沿ったスリット４１、とこのスリット４１の端部に接続して直交するスリット４２とを備える、スリット４１に線ファスナ部材４３を、スリット４２にマチ部材４５を配置し、内側に袋部材４６を配置し、硬貨等を収納可能としたものである。
【００５５】
線ファスナ部材４３は、スリット４１の両側に配置され互いに噛み合うエレメント４３ａ、４３ｂと、このエレメント４３ａ、４３ｂを噛合、解除するスライダ４４とを備える。スライダ４４を移動させることで、スリット４１を開状態又は閉状態にできる。
【００５６】
スリット４２に配置されるマチ部材４５は、薄い革部材で構成され、内側を谷線として折り畳み可能である。マチ部材４５は、図６（ｂ）に示すように、スリット４１を開状態とすること開かれ、貨幣等の収納を容易にする他、多数の貨幣等が収納されたときコイン入れ部４０の厚さ方向寸法を拡げることができる。
【００５７】
本実施形態に係る財布１０Ａ使用する場合には、第１実施形態に係る財布１０と同様に、図４に示すように、例えば、カード収納部２５ａ，２５ｂ，２５ｃ，２５ｄ，２５ｅ，２５ｆにキャッシュカードやクレジットカード等のカードＡを収納した後に、図５に示すように、折り曲げ線部１８により、折り曲げた後に、例えば、ズボンの後ポケットに収納して携帯する。
【００５８】
従って、仮に、一つのポケットに複数枚のカードを入れた場合であっても、収納したカードＡの枚数分の厚さ寸法になることがなく、財布１０全体の厚さ寸法の小さい財布１０とすることができる。その結果、例えば、ズボンの後ポケットに収納して携帯する場合に、厚さ方向に嵩張ることがないため、ポケットに入れ易く、かつ、外観上の見苦しさは低減される。
【００５９】
また、例えば、ズボンの後ポケットにカードが収納された財布１０を収納する場合、図４に示すように、仕切り線部２７ａ，２７ｂ，２７ｃ，２７ｄには、カードＡが配置されておらず、かつ、図５に示すような財布１０を折り曲げた場合に仕切り線部２７ａと２７ｃ、及び、仕切り線部２７ｂと２７ｄとが互いに重なり合うことから、着座した場合に、カードが配置されていない仕切り線部２７ａ，２７ｂ，２７ｃ，２７ｄにおいて財布１０は幅方向に沿って屈曲可能なので、収納されたカードＡの破損を軽減できる。
【００６０】
さらに、本実施形態に係る財布１０Ａによれば、札入れ部２４ａの両端には、マチ部３０、３０を配置しているので、多数の紙幣や領収書その他の紙片を札入れ部２４ａに格納するに際し、紙片の束の厚さに即して札入れ部２４ａの厚さ寸法３１が拡開するこのため、紙片の束を無理なく格納でき、紙片に損傷を与えることがない。なお、札入れ部２４ａにもマチ部３０、３０を配置することができる。
【００６１】
そして、本実施形態に係る財布１０Ａによれば、コイン入れ部４０を備えるので、一つの財布１０Ａに紙幣等の紙片、クレジットカード等のカードに加えて硬貨等のコインを収納することができる。
【００６２】
＜第３実施形態＞
次に本考案の第３実施形態に係る財布１０Ｂについて説明する。図７は本考案の第３実施形態に係る財布を示す斜視図、図８は同財布のコイン入れ部を示すものであり、（ａ）はコイン入れ部を閉じた状態を示す斜視図、（ｂ）はコイン入れ部を開いた状態を示す斜視図である。
【００６３】
本実施形態に係る財布１０Ｂは、第１実施形態に係る財布１０と同様に札を二つ折りして収納する財布である。
【００６４】
第３実施形態に係る財布１０Ｂは、図７に示すように、折り曲げる前においては折り曲げ線部１８に対して対称に形成されると共に平面略長方形状に形成され、折り曲げ線部１８により二つ折り可能である。また、本例に係る財布１０Ｂは、幅方向の一方の端部において長さ方向に沿って開口する紙幣Ｂと略同寸法により形成された札入れ部１１を備えている。
【００６５】
また、財布１０Ｂにおいて、カード収納部１２は、折り曲げ線部１８を介して一つずつの全体として二つ設けられている。そして、カード収納部１２の幅方向端部に設けられた開口部が財布本体の長さ方向に沿って形成されるように配置されている。
【００６６】
また、札入れ部１１とカード収納部との厚さ方向における間には、厚さ方向に仕切り部材２８が配設され、仕切り部材２８の上下に設けられると共に財布本体１３の長さ方向中央部側に開口する副収納部２９が形成されている。本例に係る財布１０Ｂでは、折り曲げ線部１８を挟んで各２ヶ所、合計４ヶ所に副収納部２９が配置されている。
【００６７】
また、本実施形態に係る財布１０Ｂでは、札入れ部１１の両側には、マチ部３０、３０が配置されている。このマチ部３０、３０は、札入れ部１１に多数の紙幣等が収納されたとき、札入れ部１１の厚さ寸法を拡げる。
【００６８】
さらに、本実施形態に係る財布１０Ｂにあっては、図８に示すように、折り畳んだとき外側に位置する財布本体１３の一方側の外装部にコイン入れ部４０が形成されている。このコイン入れ部４０は、財布本体１３の外面に折り曲げ線部１８に沿ったスリット４１、とこのスリット４１の端部に接続して直交するスリット４２とを備える、スリット４１に線ファスナ部材４３を、スリット４２にマチ部材４５を配置し、内側に袋部材４６を配置し、硬貨等を収納可能としたものである。
【００６９】
線ファスナ部材４３は、スリット４１の両側に配置され互いに噛み合うエレメント４３ａ、４３ｂと、エレメント４３ａ、４３ｂを噛合、解除するスライダ４４とを備える。スライダ４４を移動させることで、スリット４１を開状態又は閉状態にできる。
【００７０】
スリット４２に配置されるマチ部材４５は、薄い皮部材で構成され、内側を谷線として折り畳み可能である。マチ部材４５は、図６（ｂ）に示すように、スリット４１を開状態とすると開かれ、貨幣等の収納を容易にする他、多数の貨幣等が収納されたときコイン入れ部４０の厚さ方向寸法を拡げることができる。
【００７１】
本例に係る財布１０Ｂは、札入れ部１１が、紙幣Ｂと略同寸法であることから、２枚のカードを収納できると共に、折り曲げた場合に、財布１０が全体として、必要最小限にコンパクト化され、取り扱いが容易である。
【００７２】
また、本実施形態に係る財布１０Ｂによれば、札入れ部１１の両端には、マチ部３０、３０を配置しているので、多数の紙幣や領収書その他の紙片を札入れ部１１に格納するに際し、紙片の束の厚さに即して札入れ部１１の厚さ寸法が拡開するこのため、紙片の束を無理なく格納でき、紙片に損傷を与えることがない。
【００７３】
そして、本実施形態に係る財布１０Ｂによれば、コイン入れ部４０を備えるので、一つの財布１０Ｂに紙幣等の紙片、クレジットカード等のカードに加えて硬貨等のコインを収納することができる。
【産業上の利用可能性】
【００７４】
本考案は、財布に係り、特に、札入れ部の内側に複数のカード収納部を有する二つ折りにしうる財布に適用することができる。
【符号の説明】
【００７５】
１０、１０Ａ、１０Ｂ：財布
１１：札入れ部
１２：カード収納部
１２ａ、１２ｂ、１２ｃ、１２ｄ：カード収納部
１３：財布本体
１４：開口部
１５：仕切り部
１６：カード補助収納部
１７：開口部
１８：折り曲げ線部
１９：カード収納部構成部材
２０ａ、２０ｂ：仕切り線部
２１：端部
２２：副収納部
２３：副収納部
２４ａ、２４ｂ：札入れ部
２５：カード収納部
２５ａ、２５ｂ、２５ｃ、２５ｄ、２５ｅ、２５ｆ：カード収納部
２６：カード収納部構成部材
２７ａ、２７ｂ、２７ｃ、２７ｄ：仕切り線部
２８：仕切り部材
２９：副収納部
３０：マチ部
３１：厚さ寸法
４０：コイン入れ部
４１、４２：スリット
４３：線ファスナ部材
４３ａ、４３ｂ：エレメント
４４：スライダ
４５：マチ部材
４６：袋部材
Ａ：カード
Ｂ：紙幣
【図１】
0003220985.tif 000003
【図２】
0003220985.tif 000004
【図３】
0003220985.tif 000005
【図４】
0003220985.tif 000006
【図５】
0003220985.tif 000007
【図６】
0003220985.tif 000008
【図７】
0003220985.tif 000009
【図８】
0003220985.tif 000010